(57)【特許請求の範囲】
【請求項１】
面体（１）の垂直中心線の左右にそれぞれ電動ファンユニット（３）を備えたフィルタ装置（４）を取り付けた呼吸用保護具であって、前記電動ファンユニット（３）はフィルタ装置（４）に内蔵されており、これら電動ファンユニット（３）およびフィルタ装置（４）はそれぞれ面体（１）に着脱自在としており、さらに電動ファンユニット（３）は遠心ファン（９）と偏平モータ（１０）とからなり、前記フィルタ装置（４）はフィルタ（１３）を保持するようにした保持部（１４）に電動ファンユニット（３）の収納室（１５）を設けた保持ケース（１６）と、保持ケース（１６）に保持したフィルタ（１３）を覆っておくために保持ケース（１６）に着脱自在として取り付けられたカバー（１７）からなり、前記保持部（１４）と収納室（１５）を仕切る仕切板（１８）の中央部には通気孔（１９）が設けられ、保持部（１４）と収納室（１５）を通気させたものとし、前記保持ケース（１６）の収納室（１５）には面体（１）の通気孔（７）へ通ずる通気孔（２４）が設けられた支持筒（２５）が突設されており、しかも前記電動ファンユニット（３）の偏平モータ（１０）へは面体（１）と離して設けられたバッテリー（１２）から電源ケーブル（１１）を介して電力が供給されるようにしていることを特徴とする呼吸用保護具。
【請求項２】
前記面体（１）の中央上部に伝声器（５）を取り付け、前記面体（１）の中央下部に排気弁（６）を取り付けたことを特徴とする請求項１に記載の呼吸用保護具。
【発明の詳細な説明】
【０００１】
【発明の属する技術分野】
この発明は、工場、工事現場等の粉塵や有毒ガスが発生する場所などにおいて防塵マスクや防毒マスクとして使用することのできる呼吸用保護具に関するものである。
【０００２】
【従来の技術】
従来、この種の呼吸用保護具は、例えば図４に示したように、着用者の少なくとも鼻と口を覆う面体３１の中央部の一個所に電動ファンユニット３２を取り付け、この電動ファンユニット３２の前方に防塵用や防毒用としたフィルタ装置３３を着脱自在として取り付けたものが存在する。
【０００３】
さらに、この種の呼吸用保護具は、例えば図５に示したように、着用者の少なくとも鼻と口を覆う面体３１の両側部に、防塵用や防毒用としたフィルタ装置３３をそれぞれ取り付たものが存在する。
【０００４】
【発明が解決しようとする課題】
しかしながら、上記図４に示した呼吸用保護具では、送風量がＪＩＳ規格の「電動ファン付き呼吸用保護具」（ＪＩＳＴ８１５７）に適合する毎分約１２０リットル以上を確保するには、送風量を増加させるために電動ファンユニット３２を大型化しなければならなくなり、前方視野の減少や前方重量が増加し、作業性やフィッテング感の低下に繋がるという課題を有していた。また、この場合に、同じフィルタ装置３３を使用して送風量を増加させると、フィルタの目詰まりが急激に生じ、送風量が低下するので、フィルタの交換時期が短くなるという課題を有していた。
【０００５】
さらに、この呼吸用保護具では、電動ファンユニット３２が面体３１に取り付けられているが、その面体３１から取り外すことができないため、面体３１の水洗浄や部品交換などのメンテナンスがし難いという課題を有していた。
【０００６】
また、上記図５に示した呼吸用保護具では、面体３１の両側部にそれぞれフィルタ装置３３を取り付けてはいるが、電動ファンユニットを具備していないので、強制的な送風を行うことができず、充分な送風量を確保できないという課題を有していた。
【０００７】
そこで、この発明は、上記従来の呼吸用保護具が有する課題を解決するものであり、前方視野を減少させたり、前方重量を増加させることなく、しかも作業性やフィッテング感を低下させずに、送風量がＪＩＳ規格の「電動ファン付き呼吸用保護具」（ＪＩＳＴ８１５７）に適合する毎分約１２０リットル以上を確保できるようにし、しかも電動ファンユニットも面体から取り外すことができるようにして、面体の水洗浄や部品交換などのメンテナンスをし易くした呼吸用保護具を提供することを目的としてなされたものである。
【０００８】
【課題を解決するための手段】
そのため、この発明の呼吸用保護具は、面体１の垂直中心線の左右にそれぞれ電動ファンユニット３を備えたフィルタ装置４を取り付けたものとしており、前記電動ファンユニット３はフィルタ装置４に内蔵されており、これら電動ファンユニット３およびフィルタ装置４はそれぞれ面体１に着脱自在としており、さらに電動ファンユニット３は遠心ファン９と偏平モータ１０とからなり、前記フィルタ装置４はフィルタ１３を保持するようにした保持部１４に電動ファンユニット３の収納室１５を設けた保持ケース１６と、保持ケース１６に保持したフィルタ１３を覆っておくために保持ケース１６に着脱自在として取り付けられたカバー１７からなり、前記保持部１４と収納室１５を仕切る仕切板１８の中央部には通気孔１９が設けられ、保持部１４と収納室１５を通気させたものとし、前記保持ケース１６の収納室１５には面体１の通気孔７へ通ずる通気孔２４が設けられた支持筒２５が突設されており、しかも前記電動ファンユニット３の偏平モータ１０へは面体１と離して設けられたバッテリー１２から電源ケーブル１１を介して電力が供給されるようにしている。
【００１０】
また、この発明の呼吸用保護具は、前記面体１の中央上部に伝声器５を取り付け、前記面体１の中央下部に排気弁６を取り付けたものとすることができる。
【００１１】
【発明の実施の形態】
以下、この発明の呼吸用保護具の実施の形態を、図面に基づいて詳細に説明する。
【００１２】
この発明の呼吸用保護具は、図１〜３に示したように、着用者の少なくとも鼻と口を覆う面体１と、着用者の頭部に掛け渡すヘッドバンド２と、電動ファンユニット３をそれぞれ備えた二個のフィルタ装置４とからなり、面体１の両側端にヘッドバンド２を取り付けると共に、面体１の垂直中心線の左右にそれぞれ前記電動ファンユニット３およびフィルタ装置４を着脱自在として取り付けたものとしている。
【００１３】
面体１は、柔軟性を有する合成樹脂などからなり、中央上部に伝声器５を取り付け、中央下部に排気弁６を取り付けたものとしており、垂直中心線の左右にそれぞれ前記フィルタ装置４との通気孔７を設けたものとしている。また、面体１は、着用者の鼻に当接する部分の前方を薄肉部８としてクッション性をよくし、面体装着時の着用者の鼻への押圧力を軽減するようにしている。なお、図に示した面体１は、着用者の鼻と口を覆う半面形面体としているが、着用者の顔面全体を覆う全面形面体としてもよい。
【００１４】
電動ファンユニット３は、遠心ファン９と偏平モータ１０とからなり、電源ケーブル１１を介してバッテリー１２から偏平モータ１０へ電力が供給され、この偏平モータ１０が回転し、その回転軸に取り付けられた遠心ファン９が回転するようにしている。
【００１５】
フィルタ装置４は、カートリッジ式の防塵用や防毒用としたフィルタ１３と、このフィルタ１３を保持するようにした保持部１４の下方に電動ファンユニット３の収納室１５を設けた保持ケース１６と、保持ケース１６に保持したフィルタ１３を覆っておくためのカバー１７からなるものとしている。前記電動ファンユニット３は、前記保持ケース１６の収納室１５に内蔵され、保持部１４と収納室１５を仕切る仕切板１８の中央部には通気孔１９が設けられ、保持部１４と収納室１５を通気させたものとしている。カバー１７は、中央部に通気孔２０が設けられ、保持ケース１６にねじ込み形式して着脱自在として取り付けられている。
【００１６】
なお、伝声器５は、図示していないが、前面フレーム部材と後面フレーム部材と、これら両部材の間に位置する薄い伝声膜を有するものとするなど、従来公知の構造からなるものとしている。また、排気弁６も、図示していないが、逆止弁構造とするなど、従来公知の構造からなるものとしている。
【００１７】
さらに、前記面体１の垂直中心線の左右にそれぞれ設けた通気孔７には、必要に応じて、収納室１５側から面体１側へは通気するが、面体１側から収納室１５側へは通気しないようにした逆止弁２１を設けたものとしている。また、前記通気孔７の周囲には、支持筒２２が突設されており、この支持筒２２の端部には対向位置に切欠部２３ａを形成した外向きフランジ２３が設けられている。
【００１８】
一方、前記フィルタ装置４の保持ケース１６の収納室１５には、面体１の通気孔７へ通ずる通気孔２４が設けられている。この通気孔２４の周囲には、前記支持筒２２の周囲を囲むようにした支持筒２５が突設されており、この支持筒２５の端部には対向位置には切欠部２６ａを形成した内向きフランジ２６が設けらている。
【００１９】
そして、前記面体１にフィルタ装置４を着脱自在として取り付けるには、面体１の垂直中心線の左右に設けたそれぞれの通気孔７の周囲に突設した支持筒２２の周囲を囲むようにして、保持ケース１６の収納室１５の通気孔２４の周囲に突設した支持筒２５を被せる。この場合、支持筒２２の外向きフランジ２３と支持筒２５の内向きフランジ２６とが重なり合わないように、すなわち支持筒２２の外向きフランジ２３が支持筒２５の内向きフランジ２６の切欠部２６ａに位置し、支持筒２５の内向きフランジ２６が支持筒２２の外向きフランジ２３の切欠部２３ａに位置するようにしておく。
【００２０】
そこで、保持ケース１６を一方に捻って、前記支持筒２２の外向きフランジ２３と支持筒２５の内向きフランジ２６とが重なり合うようにすれば、支持筒２２、２５どうしが結合し、面体１にフィルタ装置４を取り付けることができる。
【００２１】
また、面体１からフィルタ装置４を外すには、保持ケース１６を前記したのとは反対に捻れば、前記支持筒２２の外向きフランジ２３と支持筒２５の内向きフランジ２６とが重なり合わないようになり、支持筒２２、２５どうしの結合が解除され、面体１からフィルタ装置４を外すことができる。
【００２２】
以上のように構成したこの発明の呼吸用保護具は、面体１の垂直中心線の左右にそれぞれ電動ファンユニット３を内蔵したフィルタ装置４を着脱自在として取り付けたものとしているので、それぞれのフィルタ装置４をそれほど大きくしないでも、送風量が稼げるものとなった。
【００２３】
さらに、この発明の呼吸用保護具は、面体１の垂直中心線の左右にそれぞれ電動ファンユニット３を内蔵したフィルタ装置４を取り付け、面体１の中央上部に伝声器５を取り付け、面体１の中央下部に排気弁６を取り付けたものとしているので、これらフィルタ装置４、伝声器５、排気弁６の配置が非常にバランスの取れたものとなった。
【００２４】
また、この発明の呼吸用保護具は、必要に応じて、フィルタ装置４ごと電動ファンユニット３を面体１から取り外すことができるものとなった。
【００２５】
【発明の効果】
この発明の呼吸用保護具は、以上に述べたように構成されており、前方視野を減少させたり、前方重量を増加させることなく、しかも作業性やフィッテング感を低下させずに、送風量がＪＩＳ規格の「電動ファン付き呼吸用保護具」（ＪＩＳＴ８１５７）に適合する毎分約１２０リットル以上を確保できるものとなり、しかも電動ファンユニットも面体から取り外すことができるようにしたので、面体の水洗浄や部品交換などのメンテナンスがし易いものとなった。
【図面の簡単な説明】
【図１】この発明の呼吸用保護具の面体から片方のフィルタ装置を外し、このフィルタ装置を分解した状態を示す説明図である。
【図２】この発明の呼吸用保護具の面体からフィルタ装置を外した状態を示す要部拡大図である。
【図３】この発明の呼吸用保護具のフィルタ装置の断面図である。
【図４】従来の呼吸用保護具の一例を示す斜視図である。
【図５】従来の呼吸用保護具の他の例を示す斜視図である。
【符号の説明】
１  面体
３  電動ファンユニット
４  フィルタ装置
５  伝声器
６  排気弁
【図１】
0004264619.tif 000002
【図２】
0004264619.tif 000003
【図３】
0004264619.tif 000004
【図４】
0004264619.tif 000005
【図５】
0004264619.tif 000006